【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  縦方向、横方向幅寸法、前部腰バンド部、後部腰バンド部、前記前部及び後部の腰バンド部を相互に連結する中間部、及び横方向に対向し縦方向に延びる一対の側縁部を有し、且つ、前記側縁部の各々が、前記各側縁部の中間部における定められた脚部開口領域に位置する外向き方向に凹状の末端側縁外形を有するとともに、前記凹状の側縁外形が、前記物品の長さ寸法に沿う選択された縦方向の範囲を有する吸収性物品であって、
外向き表面及びそれに対向する内向きの身体側表面を有する裏面シート層、
前記裏面シート層の前記身体側表面上に重ね合わされた実質的に液体透過性の上面シート層、
前記上面シート層と前記裏面シート層との間に挟まれた吸収体、及び
別個に準備され、前記脚部開口領域の各々に沿って前記物品に連結されるとともに、脚部ガセット区域及び閉じ込めフラップ区域を有するガセット・フラップ複合部材を備え、
前記脚部ガセット区域の各々は、それに対応する前記裏面シート層の外向き方向に凹状の末端側縁外形の少なくとも一部の範囲を超えて横方向に延びて橋渡しし、且つ、前記脚部ガセット区域の各々は、それに対応する前記物品の脚部開口領域に弾性を持たせるように構成され、
前記閉じ込めフラップ区域の各々は、対応する前記脚部ガセット区域の１つと一体的に形成されるとともに、内側障壁フラップを設けるために前記脚部ガセット区域から相対的に内側寄りに配置され、
前記閉じ込めフラップ区域の各々は、前記弾性を持たせた脚部開口部の１つに近接して位置する縦方向に延び実質的に固定された縁部、及び弾性を持たせた末端縁部を有し、且つ、前記末端縁部の少なくとも中間部が、前記物品から間隔を空けた位置に移動可能とされており、
個別の縦方向に延びる複数の第１弾性部材から成る第1構成体が、前記ガセット・フラップ部材の各々の前記脚部ガセット領域内に取り付けられ、且つ、
縦方向に延びる少なくとも１つの弾性部材から成る第２構成体が、前記ガセット・フラップ部材の各々の前記閉じ込めフラップ内に取り付けされており、更に
縦方向の範囲を有するとともに、前記閉じ込めフラップ区域の各々の前記固定された縁部に沿って前記ガセット・フラップ部材を前記物品に固定するガセット・フラップ取り付け手段、及び
前記ガセット・フラップ取り付け手段の各々に隣接し、横方向外側寄りに配置された付加的な周囲結合取り付け手段を備え、前記物品縁部の取り付け手段の各々は、その関連する脚部ガセット区域を、その対応する前記物品の外向き方向に凹状の末端側縁外形の近傍で、前記末端側縁外形の少なくとも部分的な長さに沿って、前記物品に固定するように構成されており、且つ、前記周囲結合取り付け手段は、少なくとも１つの前記脚部ガセット区域の外側寄り縁部の重なり部分が前記末端側縁外形に交差するとともに前記少なくとも１つの脚部ガセット区域の外側寄り縁部の重なり部分が前記裏面シート層の前記身体側表面に重ね合わされる物品接合領域に隣接する前記裏面シート層の末端側縁から内側寄りに延びる周囲結合取り付け線に沿って設けられたことを特徴とする吸収性物品。
【請求項２】  前記物品周囲結合取り付け手段は、前記物品の前記中間部の少なくとも有意な縦方向長さに沿って、前記ガセット・フラップ部材と上面シートとの間及び前記上面シートと裏面シートとの間の液体の漏れに対するシール部となることを特徴とする請求項１に記載の物品。
【請求項３】  前記物品の周囲結合取り付け手段は、前記腰バンド部の１つが前記物品の中間部に移行するとともに前記脚部ガセット区域の外側寄り縁部の重なり部分が少なくとも前記裏面シート層に重ね合わされる前記物品接合領域において、前記脚部ガセット区域が前記裏面シート及び上面シート層から実質的に独立して動作することを許容し、前記脚部ガセットが身体に対してよりなじみ易くするようにしたことを特徴とする請求項１に記載の物品。
【請求項４】  前記ガセット区域の外寄り縁部は、少なくとも約１６ｃｍの自由縁長さに沿って、前記物品に実質的に取り付けられていないことを特徴とする請求項１に記載の物品。
【請求項５】  前記脚部ガセット区域の外寄り縁部は、前記物品の全長の少なくとも約４４％である自由縁に沿って、前記物品に取り付けられていないことを特徴とする請求項１に記載の物品。
【請求項６】  各前記ガセット・フラップ部材は、
横方向に対向して縦方向に延びる一対の障壁層側縁部と、第１及び第２の主対向表面とを有する障壁層、及び
前記障壁層の前記第１対向表面と向き合う関係で接合されるとともに、脚部ガセット領域及び閉じ込めフラップ領域を有する布層を有し、
前記個別の縦方向に延びる複数の第１弾性部材から成る前記第1構成体は、前記脚部ガセット・フラップ部材の前記脚部ガセット区域内で、前記障壁層及び前記布層に取り付けられてそれらにより挟まれており、更に
前記縦方向に延びる少なくとも１つの弾性部材から成る前記第２構成体は、前記ガセット・フラップ部材の各閉じ込めフラップ区域内で、少なくとも前記布層に取り付けられたことを特徴とする請求項１に記載の吸収性物品。
【請求項７】  前記障壁層は、通気性のスパンボンド・メルトブローン布を含むことを特徴とする請求項６に記載の物品。
【請求項８】  前記障壁層は、通気性のスパンボンド・メルトブローン・スパンボンド布を含むことを特徴とする請求項７に記載の物品。
【請求項９】  前記障壁層は、通気性のフィルムを含むことを特徴とする請求項６に記載の物品。
【請求項１０】  前記障壁層は、外側寄り側部及び内側側寄り側部を有し、前記外側寄り側部は、前記障壁層の少なくとも１つの側縁部を包み込み、そこから前記障壁層の前記第２対向表面に沿って内側寄りに延びるようにされていることを特徴とする請求項６に記載の物品。
【請求項１１】  前記脚部ガセット区域の各々は、実質的に液体不透過性であることを特徴とする請求項１に記載の物品。
【請求項１２】  前記物品は、前記脚部ガセット区域の各々の少なくとも１つのガセット端部の外側寄り側縁を物品に取り付ける脚部ガセット外側寄り固定手段を更に含むことを特徴とする請求項１に記載の物品。
【請求項１３】  縦方向長さ寸法、横方向幅寸法、前部腰バンド部、後部腰バンド部、前記前部及び後部の腰バンド部を相互に連結する中間部、及び横方向に対向して縦方向に延びる一対の側縁部を有し、且つ、前記側縁部の各々が、前記側縁部の各々の中間部における定められた脚部開口領域に位置する外向き方向に凹状の末端側縁外形を有し、前記凹状の側縁外形の各々が、前記物品の前記長さ寸法に沿う選択された縦方向の範囲を有する吸収性物品であって、
裏面シート層、
前記裏面シート層に対し重ね合わされて向き合う関係で連結された実質的に液体透過性の上面シート層、
前記上面シート層と前記裏面シート層との間に挟まれた吸収体、及び
別個に準備され、前記脚部開口領域の各々に沿って前記物品に連結されるとともに、脚部ガセット区域及び閉じ込めフラップ区域を有するガセット・フラップ複合部材を備え、
前記脚部ガセット区域の各々は、前記物品の弾性を持たせた脚部開口領域を作り出すために、前記脚部ガセット区域の各々が対応する前記裏面シート層の外向き方向に凹状の末端側縁外形の範囲を超えて延び、それを横切り橋渡しするよう構成され、
前記脚部ガセット区域の各々は、縦方向に対向するガセット端部、前記各ガセット端部の間に位置するガセット中間部、及び縦方向に延びる外側寄り末端縁部を有し、
前記閉じ込めフラップ区域の各々は、対応する前記脚部ガセット領域の１つと一体的に形成されるとともに、内側障壁フラップを設けるために前記脚部ガセット領域から相対的に内側寄りに配置され、
閉じ込めフラップ区域の各々は、縦方向に対向するフラップ端部、前記各フラップ端部の間に位置するフラップ中間部、縦方向に延びるとともに前記弾性を持たせた脚部開口部の１つに近接して位置する実質的に固定された縁部、及び縦方向に延びる末端縁部を有し、且つ、前記末端縁部の少なくとも中間部が、前記物品から間隔を空けた位置に移動可能とされており、
個別の縦方向に延びる複数の第１弾性部材から成る第1構成体が、前記ガセット・フラップ部材の前記脚部ガセット区域内に取り付けられ、且つ、
縦方向に延びる少なくとも１つの弾性部材から成る第２構成体が、前記ガセット・フラップ部材の前記閉じ込めフラップ内の各々に取り付けされており、更に
縦方向の範囲を有するとともに、前記閉じ込めフラップ区域の各々の前記実質的に固定された縁部に沿って、前記ガセット・フラップ部材の各々を前記物品に固定するガセット・フラップ取り付け手段、及び
前記脚部ガセット区域の少なくとも１つのガセット端部を実質的にギャザーが寄せられないようにするために、前記弾性部材から成る第1構成体の端部を非活性化する脚部ガセット外寄り無効化アレーを備えたことを特徴とする吸収性物品。
【請求項１４】  前記弾性部材から成る第1構成体の前記端部は、前記脚部ガセット区域の各々の少なくとも１つのガセット端部を実質的にギャザーが寄せられなようにするために、縦方向に間隔を空けた複数の位置で非活性化されていることを特徴とする請求項１３に記載の物品。
【請求項１５】  前記弾性部材から成る第1構成体の前記端部は、前記脚部ガセット区域の各々の少なくとも１つのガセット端部を実質的にギャザーが寄せられなようにするために、縦方向に間隔を空けた複数の位置で分断されていることを特徴とする、請求項１３に記載の物品。
【請求項１６】  前記脚部ガセットの外側寄り無効化アレーは、縦方向に間隔を空けた複数の第１位置に、前記脚部ガセット区域の各々の少なくとも１つのガセット端部を実質的にギャザーが寄せられなようにするための、前記弾性部材から成る第1構成体の前記端部の分断部を備えたことを特徴とする請求項１３に記載の物品。
【請求項１７】  前記少なくとも１つの弾性部材から成る第２構成体の少なくとも１つの端部は、閉じ込めフラップ区域の各々の少なくとも１つフラップ端部が実質的にギャザーが寄せられないようにするために非活性化されていることを特徴とする請求項１３に記載の物品。
【請求項１８】  前記少なくとも１つの弾性部材から成る第２構成体の端部は、閉じ込めフラップ区域の各々の少なくとも１つフラップ端部が実質的にギャザーが寄せられないようにするために、縦方向に間隔を空けた複数の第２位置で非活性化されていることを特徴とする請求項１３に記載の物品。
【請求項１９】  前記物品は、前記閉じ込めフラップ区域の各々の少なくとも１つのフラップ端部を前記物品に取り付ける閉じ込めフラップ末端固定手段を更に備えたことを特徴とする請求項１３に記載の物品。
【請求項２０】  前記閉じ込めフラップ末端固定手段は、縦方向に間隔を空けた複数の第２位置において前記脚部ガセットを前記物品に取り付けられ、且つ、前記閉じ込めフラップ区域の各々の少なくとも１つのフラップ端部が実質的にギャザーを寄せられないようにするために、前記弾性部材から成る第２構成体の前記端部が、前記縦方向に間隔を空けた複数の第２位置で分断されていることを特徴とする請求項１３に記載の物品。